(57)【特許請求の範囲】
【請求項１】
柱脚用のアンカーボルト等を取付固定し得る柱脚用アンカーフレームを杭頭の周りに施された捨コンクリート上に設置して定着させる構造に於て、
水平片及び垂直片よりなる複数のアングル材を前記垂直片の下端に配置された前記水平片が前記垂直片よりも外側になるように配置しつつ互いに溶接で固着することで形成されるアンカーフレームと、
下端にプレートが一体的に溶着されかつほぼ全周面にネジが設けられたアジャストボルトと、を有し、
前記アジャストボルトの上部を前記水平片に穿設されたボルト穴に挿通し、さらに該アジャストボルトの上部にナットを螺合して構成したことを特徴としたアンカーフレーム定着構造。
【発明の詳細な説明】
【０００１】
【発明の属する技術分野】
本発明は柱脚用アンカーフレームの定着構造に係り、特にアンカーフレームの高さを簡単かつ自在に微調整することが出来ると共に、該アンカーフレームを杭頭の周りに施された捨コンクリート上に安定した状態で設置固定し得るアンカーフレーム定着構造に関するものである。
【０００２】
【従来の技術】
従来、杭頭の周りに打設された捨コンクリートの上に柱脚用のアンカーボルト等を取付固定するための柱脚用アンカーフレームを設置して定着させるに当っては、アングル材で現場に於て構成した架台の下部を捨コンクリートの中に埋設して固定し、この架台の上にアンカーフレームを固定することによって定着させることが一般的に実施されていた。
【０００３】
しかるに前述のように架台を使用する場合には、構造が複雑になる上に、架台の下部を捨コンクリートの中に埋設したり、或はライナーを使用して隙間を埋めながらアンカーフレームの水平レベルを出したりしなければならないので、作業が極めて繁雑でコスト高になる問題があった。かつ、前述のように架台やアンカーフレームを捨コンクリートに設置する場合に、これ等が杭頭と接触する際には、アンカーフレーム等の一部を切欠かなければならない問題があった。
【０００４】
また、前述の従来のアンカーフレームの固定方法を改善するために、例えば公開平成２-１２０５３４号公報或は図４に示す如きコンクリート杭上に施設するアンカーボルトの定着装置が開発されている。
【０００５】
この定着装置は、図４に示す如く、アンカーボルト５１を固定手段５２を介して支持する堅杆５３が、取付固定されるアンカーフレーム５４をＺ型支持脚５５を介して、杭頭５６の周りに打設された捨コンクリート５７に設置していた。図中５８はテンプレート、５９はナットである。
【０００６】
【発明が解決しようとする課題】
前述の図４に示す装置のように、Ｚ型支持脚５５を用いてアンカーフレーム５４を捨コンクリート５７に設置する場合には、前述の従来の架台やライナー等を不要とし、かつ架台の下部を捨コンクリートの中に埋設する必要がないので、作業が簡単である等の点に於て大きな作用効果を有している。
【０００７】
しかし、この図４に示す装置に於ては、一定の高さを有するＺ型支持脚５５を使用するので、高さ調整が出来ず、従ってアンカーフレーム５４の水平レベル出しが困難である問題があった。
【０００８】
本発明に係るアンカーフレームの定着構造は、前述の従来の多くの問題点に鑑み開発された全く新しい技術であって、特に下端にプレートが一体的に固着されたアジャストボルトの上部をアンカーフレームの水平片に穿設されたボルト穴に挿通し、該アジャストボルトの上部にナットを螺合して構成するようにし、アジャストボルトによってアンカーフレームの高さを自在に微調整するようにした全く新しい技術を提供するものである。
【０００９】
【課題を解決するための手段】
本発明に係るアンカーフレームの定着構造は、柱脚用のアンカーボルト等を取付固定し得る柱脚用アンカーフレームを杭頭の周りに施された捨コンクリート上に設置して定着させる構造に於て、水平片及び垂直片よりなる複数のアングル材を前記垂直片の下端に配置された前記水平片が前記垂直片よりも外側になるように配置しつつ互いに溶接で固着することで形成されるアンカーフレームと、下端にプレートが一体的に溶着されかつほぼ全周面にネジが設けられたアジャストボルトと、を有し、前記アジャストボルトの上部を前記水平片に穿設されたボルト穴に挿通し、さらに該アジャストボルトの上部にナットを螺合して構成したことを特徴としたアンカーフレーム定着構造である。
【００１０】
前述の本発明のアンカーフレームの定着構造に於ては、アジャストボルトの下端にプレートを一体的に固着したので、このプレートを捨コンクリートの表面に安定した状態で載置することが出来る。前記プレートとしては平のものが望ましいが、アングル、Ｃ型綱などの型鋼を使用することも出来る。また、このプレートを固着する手段としては、（１）事前にプレートに穴を開けておき、その穴部より捨コンアンカーにて固着する。（２）プレートを捨コンクリートに埋め込まれた金物などに溶接して固着する。（３）プレートをコンクリート等で固着する、等の手段がある。
【００１１】
前記アジャストボルトは、その外周面のほぼ全周面にネジが設けられており、かつアンカーフレームの水平片に穿設されたボルト穴にアジャストボルトの上部が挿通されると共に、その上部にナットが螺合されているので、ナットを固動することによってアンカーフレームの高さを自在に微調整することが出来る。従って、アンカーフレームの水平レベルを簡単かつ正確に出すことが出来る。
【００１２】
【発明の実施の形態】
図により本発明に係るアンカーフレームの定着構造の一実地例を具体的に説明すると、図１は本発明の定着構造の要部の簡略説明図、図２は図１の定着構造の一部の斜視説明図、図３は本発明の定着構造を現場で具体的に実施した状態の斜視図である。
【００１３】
図１乃至図３に於いて、１は柱脚用のアンカーフレームであって、水平片２ａ及び垂直片２ｂよりなるアングル材２より形成されている。３はこのアンカーフレーム１に取付け固定された堅杆であって、固定手段４を介してアンカーボルト５を保持している。６はテンプレートであって、複数のアンカーボルト５の上部にナット７を介して取付けられている。
【００１４】
８は地中に埋設された杭の杭頭であって、この杭頭８の周りには捨コンクリート９が打設されている。１０はアジャストボルトであって、そのほぼ全周にはネジが設けられている。このアジャストボルト１０の下端にはプレートとして平プレート１１が一体的に溶着されている。
【００１５】
前記アジャストボルト１０の上部は、アンカーフレーム１の水平片２ａの所定位置に設けられたボルト穴に挿通され、かつその上部には水平片２ａを挟んで２個のナット１２が螺合されている。従って、ナット１２を固動することによって、アジャストボルト１０に沿ってアンカーボルト５１を自在に昇降することが出来るように構成されている。
【００１６】
本発明に係るアンカーフレームの定着構造の実施に当っては、特に図３或は図１に示す如く、複数のアングル材２で形成されたアンカーボルト５１を用意し、そのアンカーフレーム１のほぼ四隅に対応する水平片２ａの所定位置に穿設されたボルト穴に、アジャストボルト１０の上部を挿通し、かつこのアジャストボルト１０上部所定位置に、予め螺合されていたナット７を、水平片２ａの下面に当接する。次に別のナット７をアジャストボルト１０の上部に螺合し、上下のナット７で水平片２ａを上下方面より挟持する。
【００１７】
このように、アンカーフレーム１の四隅の水平片２ａにアジャストボルト１０を取付けた状態で、アンカーフレーム１を杭頭８の周りに配置し、アジャストボルト１０の下端に取付けられている平プレート１１を杭頭８の周りに打設されている捨コンクリート９の表面に載置する。
【００１８】
このように杭頭８の周りにアジャストボルト１０を介して所定の高さに配置されたアンカーフレーム１は、そのアンカーフレーム１の四隅に設けられたアジャストボルト１０に螺合されたナット７を固動することによって、アンカーフレーム１の高さを自由に微調整することが出来、これによってアンカーフレーム１の水平レベル出しを正確に実施することが出来る。
【００１９】
【発明の効果】
前述の本発明のアンカーフレームの定着構造に於ては、アジャストボルトの下端に平プレートを一体的に溶着したので、このプレートを捨コンクリートの表面に安定した状態で載置することが出来る。かつ該捨コンクリートの上に更にコンクリートを打設した場合に、このプレートをコンクリート内に完全に埋設して安定した状態で固着することが出来る等の多大な効果を有している。
【００２０】
前記アジャストボルトは、その外周面のほぼ全周面にネジが設けられており、また、かつアンカーフレームの水平片に穿設されたボルト穴にアジャストボルトの上部が挿通されると共に、その上部にナットが螺合されているので、ナットを固動することによってアンカーフレームの高さを自在に微調整することが出来る。従って、アンカーフレームの水平レベルを簡単かつ正確に出すことが出来る等の効果も有している。
【図面の簡単な説明】
【図１】本発明の定着構造の要部の簡略説明図である。
【図２】図１の定着構造の一部の斜視説明図である。
【図３】本発明の定着構造を現場で具体的に実施した状態の斜視図である。
【図４】従来例のアンカーフレームの定着構造を示す簡略説明図である。
【符号の説明】
１ …アンカーフレーム
２ …アングル材
２ａ …水平片
２ｂ …垂直片
３ …堅杆
５ …アンカーボルト
６ …テンプレート
８ …杭頭
９ …捨コンクリート
１０ …アジャストボルト
１１ …平プレート
１２ …ナット
１３ …捨コンアンカー
５１ …アンカーボルト
５３ …堅杆
５４ …アンカーフレーム
５５ …Ｚ型支持脚
５６ …杭頭
５７ …捨コンクリート
５８ …テンプレート
５９ …ナット
【図１】
0004911823.tif 000002
【図２】
0004911823.tif 000003
【図３】
0004911823.tif 000004
【図４】
0004911823.tif 000005